(57)【要約】【課題】蒸気タービンから給水加熱器にタービン抽気を供給する際、タービン抽気の種類を使い分けて蒸気タービンプラント熱効率を向上させる蒸気タービンプラントを提供する。【解決手段】本発明に係る蒸気タービンプラントは、蒸気タービン１２から給水加熱器１６にタービン抽気を供給するタービン抽気管を、蒸気タービンの上流側に位置する高圧抽気管１９とその下流側に位置する低圧抽気管２１とに区分けするとともに、高圧抽気管１９と低圧抽気管２１とを運転の種類等に応じて使い分ける構成にした。【選択図】  図１
2005155340.tif 000002
【特許請求の範囲】
【請求項１】
蒸気タービンから給水加熱器にタービン抽気を供給するタービン抽気管を、蒸気タービンの上流側に位置する高圧抽気管とその下流側に位置する低圧抽気管とに区分けするとともに、前記高圧抽気管と前記低圧抽気管とを運転の種類および作動流体の状態量のうち、いずれか一方に応じて使い分ける構成にしたことを特徴とする蒸気タービンプラント。
【請求項２】
高圧抽気管は、高圧抽気弁を備えるとともに、この高圧抽気弁に、部分負荷運転時、開弁指令を与える抽気弁開閉制御装置を備えたことを特徴とする請求項１記載の蒸気タービンプラント。
【請求項３】
低圧抽気管は、低圧抽気弁を備えるとともに、この低圧抽気弁に、定格運転時、開弁指令を与える抽気弁開閉制御装置を備えたことを特徴とする請求項１記載の蒸気タービンプラント。
【請求項４】
高圧抽気管は、高圧抽気弁を備えるとともに、蒸気発生器から発生した主蒸気が予め定められた圧力よりも低いとき、その主蒸気圧力信号に基づいて前記高圧抽気弁に開弁指令を与える抽気弁開閉制御装置を備えたことを特徴とする請求項１記載の蒸気タービンプラント。
【請求項５】
低圧抽気管は、低圧抽気弁を備えるとともに、蒸気発生器から発生した主蒸気が予め定められた圧力よりも高いとき、その主蒸気圧力信号に基づいて前記低圧抽気弁に開弁指令を与える抽気弁開閉制御装置を備えたことを特徴とする請求項１記載の蒸気タービンプラント。
【請求項６】
高圧抽気管は、高圧抽気弁を備えるとともに、発電機からの電気出力が予め定められた電気出力よりも低いとき、その電気出力信号に基づいて前記高圧抽気弁に開弁指令を与える抽気弁開閉制御装置を備えたことを特徴とする請求項１記載の蒸気タービンプラント。
【請求項７】
低圧抽気管は、低圧抽気弁を備えるとともに、発電機からの電気出力が予め定められた電気出力よりも高いとき、その電気出力信号に基づいて前記低圧抽気弁に開弁指令を与える抽気弁開閉制御装置を備えたことを特徴とする請求項１記載の蒸気タービンプラント。
【請求項８】
高圧抽気管は、高圧抽気弁を備えるとともに、蒸気発生器の入口側の復水・給水が予め定められた温度よりも低いとき、その復水・給水温度信号に基づいて前記高圧抽気弁に開弁指令を与える抽気弁開閉制御装置を備えたことを特徴とする請求項１記載の蒸気タービンプラント。
【請求項９】
低圧抽気管は、低圧抽気弁を備えるとともに、蒸気発生器の入口側の復水・給水が予め定められた温度よりも高いとき、その復水・給水温度信号に基づいて前記低圧抽気弁に開弁指令を与える抽気弁開閉制御装置を備えたことを特徴とする請求項１記載の蒸気タービンプラント。
【発明の詳細な説明】
【技術分野】
【０００１】
本発明は、蒸気タービンプラントに係り、特に蒸気タービンの途中段落から抽気したタービン抽気を給水加熱器に運転状態に見合って効果的に供給する蒸気タービンプラントに関する。
【背景技術】
【０００２】
従来、事業用の蒸気タービンプラントは、プラントの高出力化、高熱効率化を求めてランキンサイクルを発展させた再熱サイクル、再生サイクルを組み込んだものが多い。
【０００３】
これらのサイクルの中で、再生サイクルは、蒸気タービンで膨張仕事中の蒸気をタービン中間段落から抽気し、抽気したタービン抽気を給水加熱器に供給し、給水加熱器からボイラ等の蒸気発生器に還流させる復水・給水を加熱させ、蒸気発生器で蒸気を発生させる際、燃料を少なくしてプラント熱効率を向上させるもので、その例示として図６に示す構成のものがある。
【０００４】
蒸気タービンプラントは、ボイラ等の蒸気発生器１、蒸気タービン２、発電機３、復水器４、復水・給水系５に組み入れた給水ポンプ６、給水加熱器７を備え、蒸気発生器１から発生した蒸気を蒸気タービン２に供給し、ここで膨張仕事をさせ、その際に発生する動力（回転トルク）で発電機３を回転駆動する。
【０００５】
また、蒸気タービンプラントは、蒸気タービン２で膨張仕事を終えたタービン排気を復水器４で凝縮させて復水にし、その復水を昇圧脱塩して復水・給水にして給水ポンプ６、高圧給水加熱器７のそれぞれに順次供給し、ここで蒸気タービン２の中間段落からタービン抽気管９を介して給水加熱器７に供給されるタービン抽気を加熱源として復水・給水系５の復水・給水を加熱（再生）させ、加熱させた復水・給水を蒸気発生器１に戻している。
【０００６】
なお、高圧給水加熱器７で復水・給水系５からの復水・給水を加熱させたタービン抽気は、ドレンとしてドレン管８を介して復水器４または復水・給水系５に供給され、復水・給水として再利用される。
【０００７】
また、図６は、説明の便宜上、蒸気タービン２を１ケーシングタイプとして表わしているが、実際には、高圧タービンケーシング、中圧タービンケーシング、低圧タービンケーシングの３ケーシングタイプが多く使用されている。この場合、高圧タービンで膨張仕事を終えたタービン排気は、蒸気発生器１に戻され、ここで組み込まれた再熱器で再熱される。再熱器で再熱された再熱蒸気は、中圧タービンを経て低圧タービンに供給される、いわゆる再熱サイクルが組み込まれている。
【０００８】
ところで、上述の構成に基づくランキンサイクルに、再生サイクルおよび再熱サイクルを加えた熱サイクルは、図７に示すように、作動蒸気の状態量の熱移動をＴＨ線図（温度・エントロピ線図）で表わすことができる。なお、図７に示すＴＨ線は、図６の符号に対応させてある。
【０００９】
図７に示すＴＨ線図において、点Ａで蒸気発生器１に供給される復水・給水は、ここで加熱されて蒸発し、飽和蒸気線を超えて点Ｂの過熱蒸気になる。過熱蒸気は、蒸気タービン２で膨張仕事をし、点Ｃの飽和蒸気線を経て点Ｄの湿り蒸気域までヒートドロップ（温度降下）する。そのときのエンタルピはｐ（ｋＪ／ｋｇ°Ｋ）である。
【００１０】
ヒートドロップしたタービン排気は、復水器４で等温変化の下、点Ｅまで凝縮され、復水・給水になる。そのときのエンタルピはｐ（ｋＪ／ｋｇ°Ｋ）である。
【００１１】
復水器４から出た復水・給水は、給水ポンプ６で昇圧されて点Ｆになり、さらに給水加熱器７で加熱されて点ｂになった後、蒸気発生器１に戻され、点Ａになる。
【００１２】
このときの理論蒸気タービンプラント熱効率（タービンサイクル効率）は、面積ＢＣＤＥＦｂＡと面積ＢＣＤｐｑＥＦｂＡとの比で表わされる。
【００１３】
ところが、再生サイクルは、復水・給水が給水加熱器７を流れる際、蒸気タービン２からのタービン抽気を熱源として加熱されるので、その熱サイクルの面積がＢＣＤａｂＡになる。そして、点ａにおける復水・給水のエンタルピはｒ（ｋＪ／ｋｇ°Ｋ）である。
【００１４】
一方、再生サイクルを組み入れた理論蒸気タービンプラント熱効率は、面積ＢＣＤｐｒａｂＡと面積ＢＣＤａｂＡとの比になるので、上述で求めたランキンサイクルの面積比に較べて面積ｒａｂＦＥｑ分だけ少なくなって蒸気タービンプラント熱効率を向上させることができる。
【００１５】
このようなプラント全体のヒートバランスを考慮して、例えば給水エンタルピに着目しながらタービンからの抽気蒸気制御する技術が原子炉の運転制御に活用されている（例えば特許文献１参照）。
【特許文献１】特開昭５６−４３５９８号公報
【発明の開示】
【発明が解決しようとする課題】
【００１６】
図７で示したＴＨ線図は、定格負荷（１００％負荷）運転時の作動流体の状態量の熱移動を示すものであるが、部分負荷運転になると、ＴＨ線図は図８に示すように、作動流体の状態量の熱移動も変わる。なお、図８中、実線および添字「なし」は、定格負荷運転時のものであり、破線および添字「ゼロ」は部分負荷運転時のものである。
【００１７】
一般に、蒸気タービンプラントは、定格運転時、蒸気タービンの入口蒸気温度を一定に維持させ、蒸気流量を制御することにより負荷の調整を行っている。
【００１８】
ところが、部分負荷運転に入った場合、蒸気タービンの中間段落から給水加熱器に供給されるタービン抽気の流量は少なくなる。このため、蒸気発生器に供給される復水・給水の温度は、定格運転時の点Ａに較べて点Ａ０の位置となって低くなり、蒸気の状態量が点Ｂ０から点Ｃ０の飽和蒸気線を経て点Ｄ０の湿り蒸気域までヒートドロップ（温度降下）する。そのときのエンタルピは、ｐ０（ｋＪ／ｋｇ°Ｋ）である。
【００１９】
ヒートドロップし、膨張仕事を終えたタービン排気は、復水器で凝縮されて復水・給水となる。そして、復水・給水は、給水ポンプで昇圧され、給水加熱器で加熱され、蒸気発生器に戻される。
【００２０】
ヒートドロップしたタービン排気は、点ａ０、点ｂ０の位置を経て蒸気発生器に戻される際、点Ａ０に熱移動する。なお、点ａ０のときのエンタルピは、ｒ０（ｋＪ／ｋｇ°Ｋ）である。
【００２１】
このときの部分負荷熱効率は、面積Ｂ０Ｃ０Ｄ０ｐ０ｒ０ａ０ｂ０Ａ０と面積Ｂ０Ｃ０Ｄ０ａ０ｂ０Ａ０の比となり、定格運転に較べて蒸気タービンプラント熱効率が悪くなる。
【００２２】
このように、蒸気タービンプラントでは、部分負荷運転時、蒸気タービンプラント熱効率が悪くなることが知られているが、部分負荷運転時でも蒸気タービンプラント熱効率を向上させることが燃料の節約の観点からも大切である。
【００２３】
部分負荷運転時の蒸気タービンプラント熱効率のみの向上を図るならば、蒸気タービンプラントは、タービン抽気口をより蒸気タービン入口側に近い位置に設定することで蒸気温度をより一層高くすることができるので、給水加熱器を通過する復水・給水の温度も高くすることができると考えられる。
【００２４】
しかし、タービン抽気口の適正位置は、タービン負荷（出力）の増減に依存して変動するものであり、タービン負荷が部分負荷運転から定格負荷運転になった場合、給水加熱器に供給するタービン抽気量分だけ膨張仕事ができなくなり、蒸気タービンプラント熱効率が低下する問題がある。
【００２５】
また、タービン抽気口を蒸気タービンの入口側近くに設定しておくと、部分負荷運転から定格運転になったとき、タービン抽気温度が高過ぎて蒸気発生器に供給する復水・給水が設計温度を超え、蒸気発生器等の事故発生の要因になる。
【００２６】
本発明は、このような事情を踏まえて部分負荷時の蒸気タービンプラント熱効率の向上を図るものであり、蒸気タービンに複数のタービン抽気口を設定し、運転状態等に応じてタービン抽気口を使い分け、定格運転時、蒸気タービンプラントに安定運転をさせつつ、部分負荷運転時の蒸気タービンプラント熱効率をより一層向上させる蒸気タービンプラントを提供することを目的とする。
【課題を解決するための手段】
【００２７】
本発明に係る蒸気タービンプラントは、上述の目的を達成するために、請求項１に記載したように、蒸気タービンから給水加熱器にタービン抽気を供給するタービン抽気管を、蒸気タービンの上流側に位置する高圧抽気管とその下流側に位置する低圧抽気管とに区分けするとともに、前記高圧抽気管と前記低圧抽気管とを運転の種類および作動流体の状態量のうち、いずれか一方に応じて使い分ける構成にしたものである。
【００２８】
また、本発明に係る蒸気タービンプラントは、上述の目的を達成するために、請求項２に記載したように、高圧抽気管は、高圧抽気弁を備えるとともに、この高圧抽気弁に、部分負荷運転時、開弁指令を与える抽気弁開閉制御装置を備えたものである。
【００２９】
また、本発明に係る蒸気タービンプラントは、上述の目的を達成するために、請求項３に記載したように、低圧抽気管は、低圧抽気弁を備えるとともに、この低圧抽気弁に、定格運転時、開弁指令を与える抽気弁開閉制御装置を備えたものである。
【００３０】
また、本発明に係る蒸気タービンプラントは、上述の目的を達成するために、請求項４に記載したように、高圧抽気管は、高圧抽気弁を備えるとともに、蒸気発生器から発生した主蒸気が予め定められた圧力よりも低いとき、その主蒸気圧力信号に基づいて前記高圧抽気弁に開弁指令を与える抽気弁開閉制御装置を備えたものである。
【００３１】
また、本発明に係る蒸気タービンプラントは、上述の目的を達成するために、請求項５に記載したように、低圧抽気管は、低圧抽気弁を備えるとともに、蒸気発生器から発生した主蒸気が予め定められた圧力よりも高いとき、その主蒸気圧力信号に基づいて前記低圧抽気弁に開弁指令を与える抽気弁開閉制御装置を備えたものである。
【００３２】
また、本発明に係る蒸気タービンプラントは、上述の目的を達成するために、請求項６に記載したように、高圧抽気管は、高圧抽気弁を備えるとともに、発電機からの電気出力が予め定められた電気出力よりも低いとき、その電気出力信号に基づいて前記高圧抽気弁に開弁指令を与える抽気弁開閉制御装置を備えたものである。
【００３３】
また、本発明に係る蒸気タービンプラントは、上述の目的を達成するために、請求項７に記載したように、低圧抽気管は、低圧抽気弁を備えるとともに、発電機からの電気出力が予め定められた電気出力よりも高いとき、その電気出力信号に基づいて前記低圧抽気弁に開弁指令を与える抽気弁開閉制御装置を備えたものである。
【００３４】
また、本発明に係る蒸気タービンプラントは、上述の目的を達成するために、請求項８に記載したように、高圧抽気管は、高圧抽気弁を備えるとともに、蒸気発生器の入口側の復水・給水が予め定められた温度よりも低いとき、その復水・給水温度信号に基づいて前記高圧抽気弁に開弁指令を与える抽気弁開閉制御装置を備えたものである。
【００３５】
また、本発明に係る蒸気タービンプラントは、上述の目的を達成するために、請求項９に記載したように、低圧抽気管は、低圧抽気弁を備えるとともに、蒸気発生器の入口側の復水・給水が予め定められた温度よりも高いとき、その復水・給水温度信号に基づいて前記低圧抽気弁に開弁指令を与える抽気弁開閉制御装置を備えたものである。
【発明の効果】
【００３６】
本発明に係る蒸気タービンプラントは、蒸気タービンの中間段落から給水加熱器にタービン抽気を供給する抽気口を高圧側と低圧側とのそれぞれに区分けし、区分けした高圧側の系統と低圧側の系統とのそれぞれに抽気弁を備え、定格運転時、低圧側の抽気弁を開弁させるとともに、部分負荷運転時、高圧側の抽気弁を開弁させ、運転の種類および作動流体の状態量のうち、いずれか一方に応じて抽気弁の開閉を使い分ける構成にしたので、部分負荷運転時でも蒸気タービンから給水加熱器に高温のタービン抽気を供給することができ、蒸気発生器の消費燃料の低減の下、タービンプラント熱効率を向上させることができる。
【発明を実施するための最良の形態】
【００３７】
以下、本発明に係る蒸気タービンプラントの実施形態を図面および図面に付した符号を引用して説明する。
【００３８】
図１は、本発明に係る蒸気タービンプラントの第１実施形態を示す概念図である。
【００３９】
本実施形態に係る蒸気タービンプラントは、蒸気発生器１０、発電機１１を軸直結させた蒸気タービン１２、復水器１３、復水・給水系１４、給水ポンプ１５、給水加熱器１６、ドレン管１７を備え、蒸気発生器１０から発生する蒸気を蒸気タービン１２で膨張仕事をさせ、その際に発生する動力で発電機１１を駆動する一方、蒸気タービン１２で膨張仕事を終えたタービン排気を復水器１３で凝縮させて復水・給水にし、その復水・給水を復水・給水系１４の給水ポンプ１５で昇圧し、さらに給水加熱器１６で加熱（再生）させて蒸気発生器１０に戻す閉ループを構成している。なお、給水加熱器１６で生成されたドレンは、ドレン管１７を介して復水器１３に戻され、復水・給水として再び利用される。
【００４０】
また、本実施形態に係る蒸気タービンプラントは、蒸気タービン１２の入口側に近い位置に設けた高圧抽気口１８に接続する高圧抽気管１９と、高圧抽気口１８の下流側に設けた低圧抽気口２０に接続する低圧抽気管２１とを備える一方、各抽気管１９，２０と給水加熱器１６とを結ぶ中間部分に介装する高圧抽気弁２２および低圧抽気弁２３のそれぞれに弁開閉信号を与える抽気弁開閉制御装置２４を備えている。
【００４１】
次に作用を説明する。
【００４２】
定格運転時、給水加熱器１６は、加熱源としてのタービン抽気により高温・高圧化を求めていないので、蒸気タービンプラントは、高圧抽気管１９の高圧抽気弁２２を閉弁させ、低圧抽気管２１の低圧抽気弁２３を開弁させ、蒸気タービン１２の低圧抽気口２０から低圧抽気管２１を介して給水加熱器１６にタービン抽気を供給している。
【００４３】
このときの作動流体の状態量は、図５の実線で示すように、点Ｂ→点Ｃ→点Ｄ→点ａ→点ｂ→点Ａの熱サイクルに沿って熱移動する。
【００４４】
この状態での定格運転から部分負荷運転指令があると、従来の作動流体の状態量は、破線で示すように、点Ｂ１→点Ｃ１→点Ｄ１→点ａ１→点ｂ１→点Ａ１の熱サイクルに沿って熱移動する。このため、部分負荷運転になると、蒸気タービンプラント熱効率は著しく低下していた。
【００４５】
しかし、本実施形態は、図１に示すように、蒸気タービン１２の高圧抽気口１８に接続する高圧抽気管１９に高圧抽気弁２２を設けるとともに、蒸気タービン１２の低圧抽気口２０に接続する低圧抽気管２１に低圧抽気弁２３を設け、抽気弁開閉制御装置２４に部分負荷運転指令が入ると、抽気弁開閉制御装置２４から低圧抽気弁２３に閉弁信号を与え、高圧抽気弁２２に開弁信号を与えているので、蒸気タービン１２から給水加熱器１６により高温高圧のタービン抽気を加熱源として供給することができる。
【００４６】
その結果、蒸気タービンプラントは、作動流体の状態量を、図５の一点鎖線で示すように、点Ｂ２→点Ｃ２→点Ｄ２→点ａ２→点ｂ２→点Ａ２の熱サイクルに沿って熱移動させたので、熱移動させた分だけ蒸気タービンプラント熱効率を向上させることができる。
【００４７】
図２は、本発明に係る蒸気タービンプラントの第２実施形態を示す概念図である。
【００４８】
本実施形態に係る蒸気タービンプラントは、蒸気発生器１０の出口側に圧力伝送器２５を設け、圧力伝送器２５で検出した主蒸気の圧力を抽気弁開閉制御装置２４に与え、ここで、与えられた主蒸気圧力信号が予め定められた圧力信号よりも高いとき（定格運転時）、低圧抽気管２１の低圧抽気弁２３に開弁信号を与え、高圧抽気管１９の高圧抽気弁２２に閉弁信号を与えるとともに、主蒸気圧力信号が予め定められた圧力信号よりも低いとき（部分負荷運転時）、低圧抽気管２１の低圧抽気弁２３に閉弁信号を与え、高圧抽気管１９の高圧抽気弁２２に開弁信号を与える構成にしたものである。
【００４９】
このように、本実施形態は、蒸気発生器１０の出口側に圧力伝送器２５を設け、圧力伝送器２５で検出した主蒸気圧力が予め定められた圧力よりも高いとき、抽気弁開閉制御装置２４から低圧抽気弁２３に開弁信号を、高圧抽気弁２２に閉弁信号をそれぞれ与える一方、圧力伝送器２５で検出した主蒸気圧力が予め定められた圧力よりも低いとき、抽気弁開閉制御装置２４から低圧抽気弁２３に閉弁信号を、高圧抽気弁２２に開弁信号をそれぞれ与える構成にしているので、部分負荷運転時、タービン抽気の温度を高くして、復水・給水の温度を上昇させ、蒸気タービンプラント熱効率を向上させることができる。
【００５０】
図３は、本発明に係る蒸気タービンプラントの第３実施形態を示す概念図である。
【００５１】
本実施形態に係る蒸気タービンプラントは、発電機１１の出口側に電気出力計２６を設け、電気出力計２６で検出した電気出力（負荷）を抽気弁開閉制御装置２４に与え、ここで、与えられた電気出力信号が予め定められた電気出力信号よりも高いとき（定格運転時）、低圧抽気管２１の低圧抽気弁２３に開弁信号を与え、高圧抽気管１９の高圧抽気弁２２に閉弁信号を与えるとともに、電気出力信号が予め定められた電気出力よりも低いとき（部分負荷運転時）、低圧抽気管２１の低圧抽気弁２３に閉弁信号を与え、高圧抽気管１９の高圧抽気弁２２に開弁信号を与える構成にしたものである。
【００５２】
このように、本実施形態は、発電機１１の出口側に電気出力計２６を設け、電気出力計２６で検出した電気出力が予め定められた圧力よりも高いとき、抽気弁開閉制御装置２４から低圧抽気弁２３に開弁信号を、高圧抽気弁２２に閉弁信号をそれぞれ与える一方、電気出力計２６で検出した電気出力が予め定められた電気出力よりも低いとき、抽気弁開閉制御装置２４から低圧抽気弁２３に閉弁信号を、高圧抽気弁２２に開弁信号をそれぞれ与える構成にしているので、部分負荷運転時、タービン抽気の温度を高くして、復水・給水の温度を上昇させ、蒸気タービンプラント熱効率を向上させることができる。
【００５３】
図４は、本発明に係る蒸気タービンプラントの第４実施形態を示す概念図である。
【００５４】
本実施形態に係る蒸気タービンプラントは、蒸気発生器１０の入口側に温度検知器２７を設け、温度検知器２７で検出した主蒸気の温度を抽気弁開閉制御装置２４に与え、ここで、与えられた主蒸気圧力信号が予め定められた圧力信号よりも高いとき（定格運転時）、低圧抽気管２１の低圧抽気弁２３に開弁信号を与え、高圧抽気管１９の高圧抽気弁２２に閉弁信号を与えるとともに、主蒸気温度信号が予め定められた温度信号よりも低いとき（部分負荷運転時）、低圧抽気管２１の低圧抽気弁２３に閉弁信号を与え、高圧抽気管１９の高圧抽気弁２２に開弁信号を与える構成にしたものである。
【００５５】
このように、本実施形態は、蒸気発生器１０の入口側に温度検知器２７を設け、温度検知器２７で検出した主蒸気温度が予め定められた温度よりも高いとき、抽気弁開閉制御装置２４から低圧抽気弁２３に開弁信号を、高圧抽気弁２２に閉弁信号をそれぞれ与える一方、温度検知器２７で検出した主蒸気温度が予め定められた温度よりも低いとき、抽気弁開閉制御装置２４から低圧抽気弁２３に閉弁信号を、高圧抽気弁２２に開弁信号をそれぞれ与える構成にしているので、部分負荷運転時、タービン抽気の温度を高くして、復水・給水の温度を上昇させ、蒸気タービンプラント熱効率を向上させることができる。
【図面の簡単な説明】
【００５６】
【図１】本発明に係る蒸気タービンプラントの第１実施形態を示す概念図。
【図２】本発明に係る蒸気タービンプラントの第２実施形態を示す概念図。
【図３】本発明に係る蒸気タービンプラントの第３実施形態を示す概念図。
【図４】本発明に係る蒸気タービンプラントの第４実施形態を示す概念図。
【図５】本発明に係る蒸気タービンプラントにおける作動流体の状態量熱サイクルと従来の作動流体の熱サイクルとを比較したＴＨ線図。
【図６】従来の蒸気タービンプラントを示す概念図。
【図７】従来の蒸気タービンプラントにおける作動流体の熱サイクルを示すＴＨ線図。
【図８】本発明に係る蒸気タービンプラントにおける定格運転時の作動流体の熱サイクルと部分負荷運転時の作動流体の熱サイクルとを比較したＴＨ線図。
【符号の説明】
【００５７】
１  蒸気発生器
２  蒸気タービン
３  発電機
４  復水器
５  復水・給水系
６  給水ポンプ
７  給水加熱器
８  ドレン管
９  タービン抽気管
１０  蒸気発生器
１１  発電機
１２  蒸気タービン
１３  復水器
１４  復水・給水系
１５  給水ポンプ
１６  給水加熱器
１７  ドレン管
１８  高圧抽気口
１９  高圧抽気管
２０  低圧抽気口
２１  低圧抽気管
２２  高圧抽気弁
２３  低圧抽気弁
２４  抽気弁開閉制御装置
２５  圧力伝送器
２６  電気出力計
２７  温度検知器
【図１】
2005155340.tif 000003
【図２】
2005155340.tif 000004
【図３】
2005155340.tif 000005
【図４】
2005155340.tif 000006
【図５】
2005155340.tif 000007
【図６】
2005155340.tif 000008
【図７】
2005155340.tif 000009
【図８】
2005155340.tif 000010